(57)【特許請求の範囲】
【請求項１】
円筒状の筒部と、該筒部に設けられた円環状の内側フランジと、前記筒部に対して同心円上に前記内側フランジから突出する少なくとも１つの円筒状の固定側周壁とを有するケーシングと、
前記筒部の中心線を中心に前記ケーシング内に回転自在に配置された円板部と、前記筒部及び該筒部に隣り合う前記固定側周壁間、並びに隣り合う前記固定側周壁間に配置され、前記筒部に対して同心円上に前記円板部から突出する少なくとも１つの円筒状の可動側周壁とを有するインペラーと、
前記各可動側周壁に対向して前記筒部及び前記固定側周壁にそれぞれ周方向に間隔をおいて突設され、前記中心線に沿って延在する複数の整流板と、
前記ケーシング及び前記インペラー間に形成され、前記中心線に沿った第１方向及び第１方向とは逆の第２方向に折り返す混合室とを備え、
前記インペラーの回転により前記混合室内に導入される気体及び液体を混合して気泡を生成するものであって、
前記整流板は周方向において等間隔に突設され、台形状を呈することを特徴とする微細泡沫群生成装置。
【請求項２】
円筒状の筒部と、該筒部に設けられた円環状の内側フランジと、前記筒部に対して同心円上に前記内側フランジから突出する少なくとも１つの円筒状の固定側周壁とを有するケーシングと、
前記筒部の中心線を中心に前記ケーシング内に回転自在に配置された円板部と、前記筒部及び該筒部に隣り合う前記固定側周壁間、並びに隣り合う前記固定側周壁間に配置され、前記筒部に対して同心円上に前記円板部から突出する少なくとも１つの円筒状の可動側周壁とを有するインペラーと、
前記インペラーと同軸上に、少なくとも１つの円筒状の可動側周壁を有する第２インペラーと、
前記各可動側周壁に対向して前記筒部及び前記固定側周壁にそれぞれ周方向に間隔をおいて突設され、前記中心線に沿って延在する複数の整流板と、
前記ケーシング及び前記インペラー間に形成され、前記中心線に沿った第１方向及び第１方向とは逆の第２方向に折り返す混合室とを備え、
前記インペラーの回転により前記混合室内に導入される気体及び液体を混合して気泡を生成することを特徴とする微細泡沫群生成装置。
【請求項３】
請求項２に記載の微細泡沫群生成装置において、
前記インペラーの可動側周壁と前記第２インペラーの可動側周壁が実質的に同径であることを特徴とする微細泡沫群生成装置。
【請求項４】
請求項２に記載の微細泡沫群生成装置において、
前記インペラーの可動側周壁と前記第２インペラーの可動側周壁の間に形成された内側フランジと、
前記内側フランジの両側に延びる前記固定側周壁と
をさらに備えたことを特微とする微細泡沫群生成装置。
【請求項５】
請求項４に記載の微細泡沫群生成装置において、
互いに隣接する前記可動側周壁と前記固定側周壁との間の径方向での距離がほぼ一定であることを特徴とする微細泡沫群生成装置。
【請求項６】
請求項４に記載の微細泡沫群生成装置において、
前記微細泡沫群生成装置が複数の固定側周壁と複数の可動側周壁を備え、複数の固定側周壁と複数の可動側周壁の少なくとも一方の先端部を結ぶ線が、前記中心線に対して傾斜するように配置されていることを特徴とする微細泡沫群生成装置。
【請求項７】
請求項６に記載の微細泡沫群生成装置において、
前記複数の可動側周壁は、径方向外側に向かって長くなっていることを特徴とする微細泡沫群生成装置。
【請求項８】
請求項６に記載の微細泡沫群生成装置において、
複数の前記固定側周壁は、径方向外側に向かって長くなっていることを特徴とする微細泡沫群生成装置。
【請求項９】
空気及び界面活性剤含有液を混合して微細泡沫群からなる泡を生成することを特徴とする請求項１〜８のいずれか一項に記載の微細泡沫群生成装置を備えた泡入浴装置。
【発明の詳細な説明】
【技術分野】
【０００１】
本発明は、微細泡沫群生成装置及び泡入浴装置に関する。
【背景技術】
【０００２】
従来、泡入浴装置としては、例えば特許文献１に記載されたものが知られている。この泡入浴装置は、タンク内に手動投入された湯及び洗剤の混合液に気泡を供給することにより温泡を発生させるものであって、該温泡は、タンクの上部に形成された穴に入った後、タンクの前面壁に沿って徐々に浴槽内に移動するようになっている。【０００３】
泡入浴装置に適用し得る微細泡沫群生成装置としては、例えば特許文献２に記載されたものが知られている。この微細泡沫群生成装置における気液混合用インペラーは、回転軸の回転方向に面を有して放射状に設けられ該回転軸の回転に伴い回転される撹拌フィンと、該撹拌フィンの回転中心に開口する一方端と、吸気気体を収納する気体容器に開口する他方端とを有する給気管と、気体容器及び撹拌フィン間に設けられ給気管による吸引量を調整可能な調整器とを備え、微少気泡を多く含んだ気泡を発生させる。【０００４】
特許文献３は、筒状からなり、下端が開口され、上端側側面に通気孔を穿設されると共に上端が駆動部に接続されて、筒中心を回転中心に回転される通気筒と、通気筒の下端に固定されて液中に位置され、通気筒の回転と共に回転する攪拌フィンと、攪拌フィンの回転円周外側に同心円状に固定設置され、複数の通気粉砕孔が穿設された円筒状であり、攪拌フィンの回転に伴って吸気された気体を攪拌フィンと共に粉砕するステイターとを備え、液中において攪拌フィンが回転することで通気筒の通気孔から外気を吸引し、攪拌フィンとステイターとで吸引した外気を粉砕する気液混合用インペラーを開示している。
【先行技術文献】
【特許文献】
【０００５】
【特許文献１】特開２００４−３２１４４９号公報
【特許文献２】特開２００６−８８１５５号公報
【特許文献３】特開２００４−１０５８１４号公報
【発明の概要】
【発明が解決しようとする課題】
【０００６】
ところで、特許文献１の泡入浴装置では、微細な泡沫群からなる泡の生成が不可能である。これは、例えば内径０．５ｍｍ以上の穴からの気泡供給（バブリング）では、１０ｍｍ以上の径を持つ泡沫が大量に含まれるためである。あるいは、内径０．５ｍｍ未満の穴からのバブリングでは、構造上、穴の目詰まりが発生しやすくなってしまい、メンテナンス性の確保が困難になってしまうためである。ここで泡沫とは、液体がその中に空気などの気体を含んだものであり、気体を包む液体の表面張力により形成されたものである。【０００７】
特許文献２の生成装置は、微少気泡を多く含んだ気泡を発生させるものであるため、微細な泡沫群の生成効率（エネルギー効率・スペース効率）が悪くなってしまう。これは、以下の理由によるものである。
（１）微細な泡の生成のためには、気液界面に分裂に充分な大きさの流速差を与えることが必要であるのに対し、攪拌フィンでは広範囲の流体を回転させてしまってかかる十分な流速差を与えられず、あるいは充分な流速差を得るために過度なエネルギーを要する。
（２）攪拌フィンで流体を回転させると、気液を分離させる遠心分離作用で、生成した微細泡沫が合体してしまう。
（３）攪拌室及び攪拌フィンの隙間を通過する大気泡の割合が多く、この構造で微細な泡沫群を生成する場合、大気泡の微細化の確率を増すために攪拌フィンを多段化して使用する必要があり、エネルギー効率・スペース効率が著しく悪くなってしまう。【０００８】
特許文献３のインペラーは、攪拌フィンが同心上の２重の円筒を有する構成なので、気液界面に働くせん断速度がほぼ２段階で大きくなる。この作用により、泡沫径もほぼ２段階で小さくなるが、各段階においてせん断速度は一定なので一度微細化された泡沫がさらに微細化されることはない。よって、モータの出力エネルギーが、泡沫の微細化ではなく、泡沫の移動または旋回のために消費される割合が大きい。【０００９】
本発明の目的は、気泡生成に係る気体及び液体の混合をより省スペースで行うことができる微細泡沫群生成装置及び泡入浴装置を提供することにある。
【課題を解決するための手段】
【００１０】
上記問題点を解決するために、本発明の一態様において、円筒状の筒部と、該筒部に設けられた円環状の内側フランジと、前記筒部に対して同心円上に前記内側フランジから突出する少なくとも１つの円筒状の固定側周壁とを有するケーシングと、前記筒部の中心線を中心に前記ケーシング内に回転自在に配置された円板部と、前記筒部及び該筒部に隣り合う前記固定側周壁間、並びに隣り合う前記固定側周壁間に配置され、前記筒部に対して同心円上に前記円板部から突出する少なくとも１つの円筒状の可動側周壁とを有するインペラーと、前記各可動側周壁に対向して前記筒部及び前記固定側周壁にそれぞれ周方向に間隔をおいて突設され、前記中心線に沿って延在する複数の整流板と、前記ケーシング及び前記インペラー間に形成され、前記中心線に沿った第１方向及び第１方向とは逆の第２方向に折り返す混合室とを備え、前記インペラーの回転により前記混合室内に導入される気体及び液体を混合して気泡を生成するものであって、前記整流板は周方向において等間隔に突設され、台形状を呈することを特徴とする微細泡沫群生成装置が提供される。
【００１１】
同構成によれば、前記混合室内に導入される気体及び液体は、前記インペラーの回転に伴う周方向の流れが、周方向に間隔をおいて突設された複数の整流板にせん断される態様で混合される。つまり、気泡生成に係る気体及び液体の混合（以下、「気液混合」ともいう）は、前記ケーシング（筒部、内側フランジ、複数の固定側周壁）及び前記インペラー（円板部、複数の可動側周壁）間に形成された、前記折り返された混合室で集約的に行われる。従って、気液混合をより省スペースで行うことができる。【００２０】
同構成によれば、均一な泡を生成可能であり、台形形状はＮＣ加工によって切削してつくることが可能であるため、作り易い。
【００２１】
本発明の別の態様において、円筒状の筒部と、該筒部に設けられた円環状の内側フランジと、前記筒部に対して同心円上に前記内側フランジから突出する少なくとも１つの円筒状の固定側周壁とを有するケーシングと、前記筒部の中心線を中心に前記ケーシング内に回転自在に配置された円板部と、前記筒部及び該筒部に隣り合う前記固定側周壁間、並びに隣り合う前記固定側周壁間に配置され、前記筒部に対して同心円上に前記円板部から突出する少なくとも１つの円筒状の可動側周壁とを有するインペラーと、前記インペラーと同軸上に、少なくとも１つの円筒状の可動側周壁を有する第２インペラーと、前記各可動側周壁に対向して前記筒部及び前記固定側周壁にそれぞれ周方向に間隔をおいて突設され、前記中心線に沿って延在する複数の整流板と、前記ケーシング及び前記インペラー間に形成され、前記中心線に沿った第１方向及び第１方向とは逆の第２方向に折り返す混合室とを備え、前記インペラーの回転により前記混合室内に導入される気体及び液体を混合して気泡を生成することを特徴とする微細泡沫群生成装置が提供される。
同構成によれば、前記混合室内に導入される気体及び液体は、前記インペラーの回転に伴う周方向の流れが、周方向に間隔をおいて突設された複数の整流板にせん断される態様で混合される。つまり、気泡生成に係る気体及び液体の混合（以下、「気液混合」ともいう）は、前記ケーシング（筒部、内側フランジ、複数の固定側周壁）及び前記インペラー（円板部、複数の可動側周壁）間に形成された、前記折り返された混合室で集約的に行われる。従って、気液混合をより省スペースで行うことができる。
同構成によれば、ケーシングと接触し、損傷する可能性や、内径では周速度が遅くなり泡生成に寄与しなくなるという不具合が除かれる。
【００２２】
別の実施形態において、前記インペラーの可動側周壁と前記第２インペラーの可動側周壁が実質的に同径である。
同構成によれば、微細泡沫群生成装置をコンパクトにすることが可能であると共に、製造が容易である。【００２３】
別の実施形態において、微細泡沫群生成装置は、前記インペラーの可動側周壁と前記第２インペラーの可動側周壁の間に形成された内側フランジと、前記内側フランジの両側に延びる前記固定側周壁とをさらに備える。
【００２４】
同構成によれば、１つのフランジの軸方向に固定側周壁が延びているため、微細泡沫群生成装置をコンパクトにすることが可能である。
別の実施形態において、互いに隣接する前記可動側周壁と前記固定側周壁との間の径方向での距離がほぼ一定である。【００２５】
同構成によれば、流路面積が一定となり、流体の流れ抵抗の均一化が可能であり、管損失抵抗が抑えられる。
別の実施形態において、微細泡沫群生成装置が複数の固定側周壁と複数の可動側周壁を備え、複数の固定側周壁と複数の可動側周壁の少なくとも一方の先端部を結ぶ線が、前記中心線に対して傾斜するように配置されている。【００２６】
同構成によれば、周速を速くすることかでき、泡生成の効率が良くなる。
別の実施形態において、前記複数の可動側周壁は、径方向外側に向かって長くなっている。【００２７】
同構成によれば、局所的な管損失抵抗が抑えられる。
別の実施形態において、複数の前記固定側周壁は、径方向外側に向かって長くなっている。【００２８】
同構成によれば、局所的な管損失抵抗が抑えられる。
別の実施形態において、気体としての空気及び液体としての界面活性剤含有液を混合して微細泡沫群からなる泡を生成する、上記微細泡沫群生成装置を備えた泡入浴装置が提供される。【００２９】
同構成によれば、微細泡沫群からなる泡により、質感の優れた泡入浴をすることができる。
【図面の簡単な説明】
【００３０】
【図１】本発明の泡入浴装置の水回路図を示す構成図。
【図２】本発明のＭＢＦ生成装置を示す縦断面図。
【図３Ａ】図２の３Ａ−３Ａ断面図。
【図３Ｂ】図３Ａの丸３Ｂで囲んだ部分の要所拡大図。
【図４】図２の４−４断面図。
【図５Ａ】図２の５Ａ−５Ａ断面図。
【図５Ｂ】図５Ａの丸５Ｂで囲んだ部分の要所拡大図。
【図６】本発明の第２の実施形態を示す縦断面図。
【図７】図６の７−７断面図。
【図８】図６のプレート部材を示す斜視図。
【図９】本発明の第３の実施形態を示す縦断面図。
【発明を実施するための形態】
【００３１】
（第１の実施形態）
以下、本発明を具体化した第１の実施形態を図面に従って説明する。
図１は、本実施形態が適用される泡入浴装置の水回路図を示す構成図である。同図に示されるように、この泡入浴装置は、その内部に泡Ｗを溜める浴槽１０を備えている。浴槽１０には、該浴槽１０内に泡Ｗを供給するための泡流入部１１と、浴槽１０内の泡Ｗを排水するための泡流出部１２とが設置されている。泡流入部１１は、浴槽１０の上端部に開口しており、泡流出部１２は、浴槽１０の底部に開口している。また、浴槽１０には、その上半分に分散配置された複数のノズル１３が配設されている。
【００３２】
泡入浴装置は、上水道Ｃに給水用配管２１ａを介して接続された第１流量調整弁２２と、給湯器Ｈに給湯用配管２１ｂを介して接続された第２流量調整弁２３とを備え、更にこれら第１及び第２流量調整弁２２，２３に給水用配管２１ｃ及び給湯用配管２１ｄをそれぞれ介して接続された混合栓であるミキシング２４を備える。ミキシング２４は、第１及び第２流量調整弁２２，２３により流量の調整された水及び湯を混合して所要水温（例えば４２°Ｃ）の温水を生成する。なお、給水用配管２１ａ及び給湯用配管２１ｂには、使用時（例えば入浴時）に開状態となる開閉弁２５，２６がそれぞれ設けられている。
【００３３】
ミキシング２４は、配管２１ｅを介して第３流量調整弁２７に接続されるとともに、該第３流量調整弁２７は、配管２１ｆを介して攪拌装置３１に接続されている。攪拌装置３１は、電動ポンプ３２を介して起泡剤タンク３３に接続されており、該起泡剤タンク３３に溜められた界面活性剤含有液（例えば洗浄剤）が電動ポンプ３２の駆動により供給される。攪拌装置３１は、界面活性剤含有液を、第３流量調整弁２７により流量の調整された温水と攪拌して、いわゆる石鹸水を生成する。
【００３４】
攪拌装置３１は、配管２１ｇを介してＭＢＦ（微細泡沫群）生成装置３４の吸入口３４ａに接続されている。ＭＢＦ生成装置３４の吸入口３４ｂが空気配管３５ａを介して第４流量調整弁３６に接続されるとともに、該第４流量調整弁３６は、空気配管３５ｂを介してコンプレッサ３７に接続されている。ＭＢＦ生成装置３４は、第３流量調整弁２７により流量が調整され攪拌装置３１を介して供給された石けん水及び第４流量調整弁３６により流量が調整された圧縮空気を混合して微細泡沫群（例えば１５０μｍ径以下、水分量が２０〜３０％の泡）からなる泡Ｗを生成するとともに、該泡Ｗをその吐出口３４ｃから吐出する。泡Ｗは、ミキシング２４において生成された温水によって温められた温泡となっている。なお、配管２１ｇ及び空気配管３５ａには、使用時に開状態となる開閉弁３８及び空気用バルブ３９がそれぞれ設けられている。また、ＭＢＦ生成装置３４は、循環する泡Ｗを吸入するための吸入口３４ｄを併せ備えている。
【００３５】
ＭＢＦ生成装置３４の吐出口３４ｃは、泡配管４１ａを介して泡路を切り替えるための切替バルブ４２に接続されるとともに、該切替バルブ４２は、泡配管４１ｂを介して前記泡流入部１１に接続され、あるいは泡配管４１ｃを介してドレインＤに接続されている。従って、切替バルブ４２により泡配管４１ａ，４１ｂが連通するように泡路が切り替えられたとき、ＭＢＦ生成装置３４（吐出口３４ｃ）から吐出された泡Ｗは、泡配管４１ａ，４１ｂを介して泡流入部１１から浴槽１０内に供給される。一方、切替バルブ４２により泡配管４１ａ，４１ｃが連通するように泡路が切り替えられたとき、ＭＢＦ生成装置３４（吐出口３４ｃ）から吐出された泡Ｗは、泡配管４１ａ，４１ｃを介してドレインＤから排水される。
【００３６】
一方、前記泡流出部１２は、浴槽１０に設置されたダクト４５に接続されるとともに、該ダクト４５は、泡配管４６ａを介して循環ポンプ４７の吸入口に接続されている。
循環ポンプ４７は、例えばベーンポンプ等の容積形ポンプであってよく、その吐出口は泡配管４６ｂを介して泡路を切り替えるための切替バルブ４８に接続されている。切替バルブ４８は、泡配管４６ｃを介してＭＢＦ生成装置３４の前記吸入口３４ｄに接続されるとともに、泡配管４６ｄを介してドレインＤに接続されている。従って、切替バルブ４８により泡配管４６ｂ，４６ｃが連通するように泡路が切り替えられたとき、循環ポンプ４７により吸引された浴槽１０内の泡Ｗは、泡配管４６ｂ，４６ｃを介して吸入口３４ｄに供給される。そして、ＭＢＦ生成装置３４は、循環ポンプ４７により循環された泡Ｗをその吸入口３４ｄから吸入して微細泡沫群からなる泡Ｗを生成または再生する。一方、切替バルブ４８により泡配管４６ｂ，４６ｄが連通するように泡路が切り替えられたとき、循環ポンプ４７により吸引された浴槽１０内の泡Ｗは、泡配管４６ｂ，４６ｄを介してドレインＤから排水される。
【００３７】
循環ポンプ４７により浴槽１０内の泡Ｗを循環させる際、ＭＢＦ生成装置３４は、基本的に攪拌装置３１からの石けん水を追加しない。ただし、循環する泡Ｗの温度が低いときには、該泡Ｗを温めるべく第３流量調整弁２７の開度を変更してミキシング２４が生成した温水を追加する。
【００３８】
さらに、前記給水用配管２１ａは、上水道Ｃ及び開閉弁２５間で配管５１ａに接続されるとともに、前記給湯用配管２１ｂは、給湯器Ｈ及び開閉弁２６間で該配管５１ａに接続されている。配管５１ａは、前記複数のノズル１３のそれぞれに接続されている。また、配管５１ａには、使用時に開状態となる開閉弁５２が設けられている。これらノズル１３は、開閉弁５２が開状態にあるときに上水道Ｃの水及び給湯器Ｈの湯を混合等した温水が供給されることで、浴槽１０内の泡Ｗに霧状の水または温水を付加する。これは、水分が抜けてスカスカの状態になった泡Ｗを循環しやすくするためである。すなわち、泡Ｗは、水分量が１５％を下回ると移送が困難になる傾向を示す。ノズル１３は、泡流出部１２における泡Ｗの水分量が１５％以上になるように霧状の水を付加する。
【００３９】
給水用配管２１ａには、上水道Ｃの水温Ｔｃを検知するための温度センサ６１が設けられるとともに、給湯用配管２１ｂには、給湯器Ｈの湯温Ｔｈを検知するための温度センサ６２が設けられ、更に配管２１ｅには、ミキシング２４で生成した温水温度Ｔｗを検知するための温度センサ６３が設けられている。泡配管４１ａには、切替バルブ４２の近傍でＭＢＦ生成装置３４から吐出された泡Ｗの温度である泡温Ｔｆを検知するための温度センサ６４が設けられるとともに、泡配管４６ｃには、切替バルブ４８の近傍でＭＢＦ生成装置３４に吸入される泡Ｗの温度Ｔｏを検知するための温度センサ６５が設けられている。これら温度センサ６１〜６５は、制御装置６６に電気的に接続されている。制御装置６６は、温度センサ６１〜６５の検知結果に基づいて、第１〜第４流量調整弁２２、２３，２７，３６、ＭＢＦ生成装置３４、切替バルブ４２，４８、循環ポンプ４７を駆動制御する。
【００４０】
次に、ＭＢＦ生成装置３４について更に説明する。図２は、本発明のＭＢＦ生成装置３４を示す縦断面図である。また、図３Ａ、図４及び図５Ａは、図２の３Ａ−３Ａ線、４−４線及び５Ａ−５Ａ線での断面図である。これらの図における上下方向は、垂直方向に一致する。
【００４１】
図２に示されるように、ＭＢＦ生成装置３４は、前記制御装置６６により回転制御される電動モータ７１を備えるとともに、水平方向に軸線（以下、「中心線Ｏ」ともいう）の延びる該電動モータ７１の回転軸７１ａと一体回転するように連結された中継軸７２を備え、更に回転軸７１ａの回転と干渉しないようにリング状に成形されて電動モータ７１のケース７１ｂに固定されたスペーサ７３を備える。
【００４２】
また、ＭＢＦ生成装置３４は、中継軸７２の電動モータ７１とは反対側の軸線方向の側に配置された円盤状の蓋体７４ａを有する第１ケーシング７４を備える。第１ケーシング７４は、前記中継軸７２の外周面を内周側に包囲する態様で蓋体７４ａから略円筒状から突出する本体部７４ｂを有しており、該本体部７４ｂの電動モータ７１側の軸線方向の端面がスペーサ７３に当接する態様で該スペーサ７３に固定されている。
【００４３】
図４に示されるように、本体部７４ｂには、上部から中心線Ｏの径方向に沿って下方に穿設された円形の給水口７４ｃが形成されるとともに、該給水口７４ｃの下端に連通して中心線Ｏの周方向に図示反時計回転方向に向かう側に延在する円弧状の旋回流路７４ｄが形成され、更に左下部から中心線Ｏの径方向に沿って斜め上方に穿設されて旋回流路７４ｄの中間部に連通する円形の給気口７４ｅが形成されている。なお、給水口７４ｃは、上端側で前記吸入口３４ａに連通して石鹸水が供給可能であり、旋回流路７４ｄの中間部に配置された給気口７４ｅは、下端側で前記吸入口３４ｂに連通して圧縮空気が供給可能である。従って、給水口７４ｃに供給された石鹸水は、旋回流路７４ｄにおいてその流れが旋回される。そして、旋回流路７４ｄにおける石鹸水の旋回する流れで、該石鹸水と給気口７４ｅに供給された圧縮空気とが初期混合される。
【００４４】
図２及び図５Ａに示されるように、第１ケーシング７４は、蓋体７４ａから軸方向に円筒状から突出する第１筒部７４ｆを有するとともに、該第１筒部７４ｆに対して同心円上に蓋体７４ａから軸方向に円筒状から突出する蓋体側周壁７４ｇを有する。第１筒部７４ｆ、蓋体７４ａ及び本体部７４ｂは、互いに実質的に同じの外径を有し、連続する円周面を形成する。蓋体側周壁７４ｇは、前記旋回流路７４ｄに連通する内部空間Ｓ１を形成する。第１筒部７４ｆの開口端は、拡開されて円環状の取付壁７４ｈを形成する。
【００４５】
図２及び図３Ａに示されるように、第１ケーシング７４の軸線方向一側に配置される第２ケーシング７５は、第１筒部７４ｆの内径と実質的に同一の内径を有する円筒状の第２筒部７５ａを有する。第２筒部７５ａの軸線方向の先端部は、取付壁７４ｈの内周面に液密的に装着されるとともに、該取付壁７４ｈの先端面に当接する外側フランジ７５ｂにおいて、例えばボルトにより取付壁７４ｈに締結されている。
【００４６】
第２ケーシング７５は、第２筒部７５ａの軸線方向中央部に設けられた円環状の内側フランジ７５ｃを有するとともに、該内側フランジ７５ｃから軸線方向に第２筒部７５ａに対して同心円上に突出する複数（例えば、２つ）の円筒状の第１固定側周壁７５ｅ，７５ｆと、内側フランジ７５ｃから軸線方向の反対側に第２筒部７５ａに対して同心円上に突出する複数（例えば、２つ）の円筒状の第２固定側周壁７５ｇ，７５ｈを有する。
【００４７】
第１及び第２固定側周壁７５ｅ，７５ｇは、その間に配置内側フランジ７５ｃを挟んで連続する円筒形状になるように互いに実質的に同一の外径及び内径を有している。第１及び第２固定側周壁７５ｆ，７５ｈは、内側フランジ７５ｃの内径と実質的に同一の内径を有し、連続する筒形の内周面を形成する。そして、この内周面には、内側フランジ７５ｃの軸線方向の位置で中心線Ｏに向かう径方向に延出する複数（例えば、３つ）のスポーク部７５ｉが形成されている。これらスポーク部７５ｉは等角度（１２０度）間隔に配置されており（図３Ａ参照）、各々の中心線Ｏ側の先端は該中心線Ｏに沿って開口する円環状の支持壁７５ｊに接続されている。第１固定側周壁７５ｆは、前記内部空間Ｓ１に連通する内部空間Ｓ２を形成するとともに、第２固定側周壁７５ｈは、隣り合うスポーク部７５ｉ間の開口を介して内部空間Ｓ２に連通する内部空間Ｓ３を形成する。第２筒部７５ａの軸線方向一側の開口端は、拡開されて外側フランジを有する円環状の取付壁７５ｋを形成する。
【００４８】
第２ケーシング７５は、第２筒部７５ａの内周面、第１及び第２固定側周壁７５ｅ，７５ｇの外周面及び内周面、並びに第１及び第２固定側周壁７５ｆ，７５ｈの外周面に放射状に突出する複数の整流板７６を備える。整流板７６は略台形状を呈している。各整流板７６は、中心線Ｏと平行に第２筒部７５ａ、第１固定側周壁７５ｅ，７５ｆ、第２固定側周壁７５ｇ，７５ｈの全長に亘って延在する。図３Ａ，Ｂに示されるように、これら整流板７６は、第２筒部７５ａ、第１固定側周壁７５ｅ，７５ｆ、第２固定側周壁７５ｇ，７５ｈの各々に等角度間隔で配設されている。内側フランジ７５ｃは、第２筒部７５ａ及び第１固定側周壁７５ｅ間、両第１固定側周壁７５ｅ，７５ｆ間、第２筒部７５ａ及び第２固定側周壁７５ｇ間、並びに両第２固定側周壁７５ｇ，７５ｈ間に略環状の径方向平坦面７７をそれぞれ形成する。
【００４９】
図２に示されるように、第２ケーシング７５の軸線方向一側に配置される第３ケーシング７８は、第２筒部７５ａの内径と実質的に同一の内径を有する円筒状の第３筒部７８ａを有する。この第３筒部７８ａの軸線方向の先端部は、取付壁７５ｋの内周面に液密的に装着されるとともに、該取付壁７５ｋの先端面に当接する外側フランジ７８ｂにおいて、例えばボルトにより取付壁７５ｋに締結されている。第３ケーシング７８は、第１及び第２ケーシング７４，７５とともにケーシングを構成するとともに、第３筒部７８ａは、第１及び第２筒部７４ｆ，７５ａとともに筒部を構成する。
【００５０】
第３ケーシング７８は、第３筒部７８ａの軸線方向一側に設けられた円環状の内側フランジ７８ｃを有するとともに、該内側フランジ７８ｃから軸線方向他側に第３筒部７８ａに対して同心円上に突出する複数（例えば、２つ）の円筒状の第３固定側周壁７８ｅ，７８ｆを有する。内側フランジ７８ｃの内周部は、第３固定側周壁７８ｆよりも内周側に延出するとともに、その先端部が軸線方向一側にボス状に突出するように曲成されて、前記吐出口３４ｃを形成する。第３固定側周壁７８ｅ，７８ｆは、それぞれ第２固定側周壁７５ｇ，７５ｈ（及び第１固定側周壁７５ｅ，７５ｆ）と互いに実質的に同一の外径及び内径を有している。そして、第３固定側周壁７８ｆは、内部空間Ｓ３及び吐出口３４ｃに連通する内部空間Ｓ４を形成する。
【００５１】
第３ケーシング７８は、第３筒部７８ａの内周面、並びに第３固定側周壁７８ｅ，７８ｆの外周面及び内周面に放射状に突出する複数の整流板７９を備える。各整流板７９は、中心線Ｏと平行に第３筒部７８ａ、第３固定側周壁７８ｅ，７８ｆの全長に亘って延在する。これら整流板７９は、第３筒部７８ａ、第３固定側周壁７８ｅ，７８ｆの各々に等角度間隔で配設されている。内側フランジ７８ｃは、第３筒部７８ａ及び第３固定側周壁７８ｅ間、両第３固定側周壁７８ｅ，７８ｆ間に、略環状の径方向平坦面８０をそれぞれ形成する。
【００５２】
第１〜第３ケーシング７４，７５，７８内には、中心線Ｏに沿って延在する段付き円柱状の回転軸８１が配置されている。回転軸８１は、前記支持壁７５ｊを貫通する長手方向中間部において中心線Ｏを中心に該支持壁７５ｊに回転自在に支持されるとともに、前記蓋体７４ａを貫通する軸線方向他側端部において中心線Ｏを中心に該蓋体７４ａに回転自在に支持されている。そして、回転軸８１の蓋体７４ａから突出する先端部は、前記中継軸７２に一体回転するように連結されている。
【００５３】
回転軸８１には、第１及び第２ケーシング７４，７５の境界部をなす軸線方向の位置で第１インペラー８２が一体回転するように連結されている。第１インペラー８２は、回転軸８１に一体回転するように連結される第１円板部８２ａを有するとともに、該第１円板部８２ａから軸線方向に第１筒部７４ｆに対して同心円上に突出する円筒状の上流側周壁８２ｂを有する。上流側周壁８２ｂは、第１筒部７４ｆ及び蓋体側周壁７４ｇ間に配置されている。つまり、第１ケーシング７４及び第１インペラー８２は、いわゆるラビリンス状に配置されている。上流側周壁８２ｂは、該第１筒部７４ｆに対向する外周面に凹設された、複数の液搬送部として作用する溝部８３を備える。各溝部８３は、中心線Ｏと平行に上流側周壁８２ｂの略全長に亘って延在する。図５Ｂに示されるように、これら溝部８３は、上流側周壁８２ｂに等角度間隔で配設されている。上流側周壁８２ｂは、これら溝部８３により凹凸をなすことで、相対的に突出する複数の羽形状を有する。なお、第１円板部８２ａには、内部空間Ｓ１に導入された圧縮空気及び石鹸水（以下、「気液」ともいう）の外周側への移動を促進するための外周に向かって先細りするテーパ８２ｃが形成されている。
【００５４】
一方、第１インペラー８２は、第１円板部８２ａから軸線方向一側に第２筒部７５ａに対して同心円上に突出する円筒状の第１可動側周壁８２ｄ，８２ｅを有する。第１可動側周壁８２ｄは、第２筒部７５ａ及び第１固定側周壁７５ｅ間に配置されており、第１可動側周壁８２ｅは、第１固定側周壁７５ｅ，７５ｆ間に配置されている。つまり、第２ケーシング７５及び第１インペラー８２は、いわゆるラビリンス状に配置されている。なお、図３Ａでは、隣接する第１可動側周壁８２ｄと第１固定側周壁７５ｅとの間の径方向における距離は、それら周壁８２ｄ，７５ｅの長さ方向に沿って一定であり（等しく）、第１可動側周壁８２ｅと第１固定側周壁７５ｆとの間の径方向における距離は、それら周壁８２ｄ，７５ｅの長さ方向に沿って一定である。これにより、流路面積が一定となり、流体の流れ抵抗の均一化が可能であり、管損失抵抗が抑えられる。なお、可動側周壁８２ｄと第１固定側周壁７５ｅとの間の径方向における距離と、第１可動側周壁８２ｅと第１固定側周壁７５ｆとの間の径方向における距離とは（すなわちある組の可動側周壁と固定側周壁との間の距離と、別の組の可動側周壁と固定側周壁との間の距離）、同じであっても異なっていてもよい。
【００５５】
ここで、第１及び第２筒部７４ｆ，７５ａの境界部には、それらの内周面から第１円板部８２ａに対向する径方向外側に凹設された周溝Ｇ１が形成されている。そして、第１ケーシング７４（例えば第１筒部７４ｆ、蓋体側周壁７４ｇ）及び第１インペラー８２（例えば上流側周壁８２ｂ）の間には、中心線Ｏの一側方向および他側方向に折り返しつつ該中心線Ｏの径方向外側に変位して周溝Ｇ１に連通する導入路Ｌが形成されており、第２ケーシング７５（例えば第２筒部７５ａ、内側フランジ７５ｃ、第１固定側周壁７５ｅ，７５ｆ）及び第１インペラー８２（例えば第１円板部８２ａ、第１可動側周壁８２ｄ，８２ｅ）の間には、周溝Ｇ１に連通するとともに中心線Ｏの一側方向及び他側方向に交互に折り返しつつ該中心線Ｏの径方向内側に変位して内部空間Ｓ２に連通する第１混合室Ｃ１が形成されている。つまり、第１インペラー８２は、気液混合に係るインペラー及び気液分散に係る上流側インペラーが一体形成された構成となっており、第１円板部８２ａは、インペラーの円板部及び上流側インペラーの上流側円板部が重ねられてなる。
【００５６】
このような構成にあって、第１インペラー８２が回転すると、内部空間Ｓ１に導入された気液は、導入路Ｌにおいて径方向外側に滞留しがちな石鹸水が前記溝部８３にて上方に搬送される態様で拡散され、周溝Ｇ１を介して第１混合室Ｃ１に導入される。つまり、上流側周壁８２ｂには、石鹸水等の旋回流を阻害する整流板等の構造はない。そして、第１混合室Ｃ１内に導入された気液は、第１インペラー８２の回転に伴う周方向の流れが、前記複数の整流板７６にせん断される態様で混合される。
【００５７】
なお、本実施形態では、第１インペラー８２の回転方向は、前記旋回流路７４ｄにおける石鹸水等の旋回する流れ方向の逆方向に設定されており、該石鹸水等の旋回する流れ速度分だけ嵩上げされた、より大きな流速差をせん断力として気液界面に与えるようにしている。従って、導入路Ｌでは、気液混合の促進が併せ図られている。
【００５８】
回転軸８１の軸線方向一側端部には、第２インペラー８４が一体回転するように連結されている。第２インペラー８４は、回転軸８１に一体回転するように連結される第２円板部８４ａを有するとともに、該第２円板部８４ａから軸線方向に第２筒部７５ａに対して同心円上に突出する円筒状の第２可動側周壁８４ｂ，８４ｃを有する。第２可動側周壁８４ｂは、第２筒部７５ａ及び第２固定側周壁７５ｇ間に配置されており、第２可動側周壁８４ｃは、第２固定側周壁７５ｇ，７５ｈ間に配置されている。つまり、第２ケーシング７５及び第２インペラー８４は、いわゆるラビリンス状に配置されている。
【００５９】
一方、第２インペラー８４は、第２円板部８４ａから軸線方向一側に第３筒部７８ａに対して同心円上に突出する円筒状の第３可動側周壁８４ｄ，８４ｅを有する。第３可動側周壁８４ｄは、第３筒部７８ａ及び第３固定側周壁７８ｅ間に配置されており、第３可動側周壁８４ｅは、第３固定側周壁７８ｅ，７８ｆ間に配置されている。つまり、第３ケーシング７８及び第２インペラー８４は、いわゆるラビリンス状に配置されている。第２及び第３可動側周壁８４ｂ，８４ｄは、第２円板部８４ａを挟んで連続する円筒形状になるように互いに実質的に同一の外径及び内径を有している。また、第２及び第３可動側周壁８４ｃ，８４ｅも、第２円板部８４ａを挟んで連続する円筒形状になるように互いに実質的に同一の外径及び内径を有している。
【００６０】
ここで、第２及び第３筒部７５ａ，７８ａの境界部には、それらの内周面から第２円板部８４ａに対向する径方向外側に凹設された周溝Ｇ２が形成されている。そして、第２ケーシング７５（例えば第２筒部７５ａ、内側フランジ７５ｃ、第２固定側周壁７５ｇ，７５ｈ）及び第２インペラー８４（例えば第２円板部８４ａ、第２可動側周壁８４ｂ，８４ｃ）の間には、内部空間Ｓ３に連通するとともに中心線Ｏの一側方向及び他側方向に折り返しつつ該中心線Ｏの径方向外側に変位して周溝Ｇ２に連通する第２混合室Ｃ２が形成されており、第３ケーシング７８（例えば第３筒部７８ａ、内側フランジ７８ｃ、第３固定側周壁７８ｅ，７８ｆ）及び第２インペラー８４（例えば第２円板部８４ａ、第３可動側周壁８４ｄ，８４ｅ）の間には、周溝Ｇ２に連通するとともに中心線Ｏの一側方向及び他側方向に交互に折り返しつつ該中心線Ｏの径方向内側に変位して内部空間Ｓ４（吐出口３４ｃ）に連通する第３混合室Ｃ３が形成されている。
【００６１】
このような構成にあって、第２インペラー８４が回転すると、内部空間Ｓ２，Ｓ３を介して第２混合室Ｃ２に導入された気液は、第２インペラー８４の回転に伴う周方向の流れが、前記複数の整流板７６にせん断される態様で混合される。続いて、周溝Ｇ２を介して第３混合室Ｃ３に導入された気液は、第２インペラー８４の回転に伴う周方向の流れが、前記複数の整流板７９にせん断される態様で更に混合される。そして、このように混合された気液が微細泡沫群からなる泡Ｗとして吐出口３４ｃから吐出される。
【００６２】
本実施形態の動作を総括して説明する。
まず、吸入口３４ａを通じて給水口７４ｃに供給された石鹸水は、旋回流路７４ｄにおいてその流れが旋回される。そして、旋回流路７４ｄにおける石鹸水の旋回する流れで、該石鹸水と給気口７４ｅに供給された圧縮空気とが初期混合され、内部空間Ｓ１を介して導入路Ｌに導入される。導入路Ｌに導入された気液（すなわち石鹸水及び圧縮空気）は、第１インペラー８２の回転により、前記溝部８３にて、下側に滞留しがちな石鹸水が上方に搬送される態様で拡散され、周溝Ｇ１を介して第１混合室Ｃ１に導入される。この際、第１インペラー８２が前記旋回流路７４ｄにおける石鹸水等の旋回する流れ方向の逆方向に回転することで、より大きな流速差がせん断力として気液界面に与えられ、気液混合の促進が図られる。
【００６３】
次いで、第１混合室Ｃ１に導入された気液は、第１インペラー８２の回転に伴う周方向の流れが複数の整流板７６にせん断される態様で混合されて内部空間Ｓ２に導入される。この際、内側フランジ７５ｃは、整流板等の凹凸のない平坦面７７を形成することで、気液混合時の整流板７６の影響により生じた流れ方向に対する気液分布の偏りが緩和される。
【００６４】
内部空間Ｓ２から内部空間Ｓ３に導入された気液は、第２混合室Ｃ２に導入されて第２インペラー８４の回転により同様に混合される。そして、この混合された気液は、周溝Ｇ２を介して第３混合室Ｃ３に導入されて更に混合される。この際、内側フランジ７８ｃは、整流板等の凹凸のない平坦面８０を形成することで、気液混合時の整流板７９の影響により生じた流れ方向に対する気液分布の偏りが緩和される。
【００６５】
以上の態様で混合された気液は、微細泡沫群からなる泡Ｗとして吐出口３４ｃから吐出される。この泡Ｗが泡配管４１ａ，４１ｂ等を介して浴槽１０内に供給されることは既述のとおりである。
【００６６】
以上詳述したように、第１実施形態によれば、以下に示す効果が得られる。
（１）本実施形態では、第１〜第３混合室Ｃ１〜Ｃ３内に導入される気液は、第１及び第２インペラー８２，８４の回転に伴う周方向の流れが、周方向に間隔をおいて突設された複数の整流板７６，７９にせん断される態様で混合される。つまり、気泡生成に係る気液混合は、第２ケーシング７５及び第１インペラー８２間に形成される第１混合室Ｃ１、第２ケーシング７５及び第２インペラー８４間に形成される第２混合室Ｃ２、第３ケーシング７８及び第２インペラー８４間に形成される第３混合室Ｃ３でそれぞれ集約的に行われる。従って、気泡生成に係る気液混合をより省スペースで行うことができる。
【００６７】
（２）本実施形態では、内側フランジ７５ｃ，７８ｃの平坦面７７，８０を平坦に成形して整流板等を配置しないことで、気液混合時の整流板７６，７９の影響により生じた流れ方向に対する気液分布の偏りが緩和され、当該整流板７６，７９の下流側の気液混合をより高効率化することができる。
【００６８】
（３）本実施形態では、第１混合室Ｃ１への気液の導入に先立って、旋回流路７４ｄにおける石鹸水の旋回する流れで、該石鹸水と給気口７４ｅから供給される圧縮空気とを初期混合することで、全体として気液混合をより高効率化することができる。
【００６９】
（４）本実施形態では、第１インペラー８２の回転方向は、旋回流路７４ｄにおける石鹸水の旋回する流れ方向の逆方向に設定されている。従って、第１混合室Ｃ１において、石鹸水の旋回する流れ速度分だけ嵩上げされた、より大きな流速差がせん断力として気液界面に与えられるため、気液混合を更に促進することができ、ひいては気液混合を更に省スペースで行うことができる。
【００７０】
（５）本実施形態では、導入路Ｌ内の気液は、第１インペラー８２の回転に伴い、周方向に間隔をおいて配設された複数の溝部８３で石鹸水が搬送される態様で拡散される。つまり、気液分散は、蓋体７４ａ（蓋体側周壁７４ｇ）を備えた第１ケーシング７４及び第１インペラー８２（第１円板部８２ａ、上流側周壁８２ｂ）間に形成される導入路Ｌで行われる。従って、気液の流れ方向に対する気液分布の偏りを緩和することができ、且つ、その際のエネルギーを回転を要する領域に存在する気液のみに伝達することができるため、その下流側である第１混合室Ｃ１等での気液混合をより高効率化することができる。
【００７１】
（６）本実施形態では、ＭＢＦ生成装置３４により生成される微細泡沫群からなる泡Ｗにより、質感の優れた泡入浴をすることができる。
（７）本実施形態では、第１インペラー８２に、気液混合の機能及び気液分散の機能を併せ持たせたことで、例えばこれらの機能を２つのインペラーに個別に持たせる場合に比べて部品点数を削減することができる。
【００７２】
（８）本実施形態では、複数段の混合室Ｃ１〜Ｃ３により、気液混合及び平坦面７７，８０における気液分散を繰り返すことで、よりきめ細かな泡Ｗを生成することができる。
（９）本実施形態では、気液混合及び気液分散等の機能をＭＢＦ生成装置３４に集約的に内蔵したことで、微細泡沫群を高効率・省スペースでワンパスの連続生成が可能である。
【００７３】
（１０）本実施形態では、循環ポンプ４７の吐出口に接続されたＭＢＦ生成装置３４により、循環に伴って消失又は劣化した泡Ｗが生成又は再生されることで、質感の優れた泡入浴を継続することができる。すなわち、循環される泡Ｗの加熱及び生成または再生によって、微細泡沫群からなる温かい泡Ｗで入浴し続けることができる。また、微細泡沫群からなる泡Ｗは、水分量が多くて熱容量も大きいことから、溜めている最中や入浴中の泡Ｗの温度低下も抑制することができる。
【００７４】
（１１）本実施形態では、循環される泡Ｗが水分が抜けてスカスカの状態になっても、ＭＢＦ生成装置３４において若干の水分または温水を付加するのみで高品質な泡Ｗを再生できるため、例えば泡Ｗを一から発生させる場合に比べて効率的に泡Ｗを生成または再生することができる。すなわち、泡Ｗを一から発生させる場合、泡Ｗ全体に占める水分量を例えば０％から２５％にする必要があるのに対し、循環によって泡Ｗを再生させる場合、泡Ｗ全体に占める水分量を例えば１５％から２５％にするのみでよい。
【００７５】
また、循環される泡Ｗがある程度の熱量を有しているため、例えば泡Ｗを一から発生させる場合に比べて泡Ｗを効率的に温めて生成または再生することができる。すなわち、泡Ｗを一から発生させる場合、泡Ｗを例えば２３°Ｃから４３°Ｃまで温める必要があるのに対し、循環によって泡Ｗを再生させる場合、泡Ｗを例えば３８°Ｃから４３°Ｃまで温めるのみでよい。以上により、全体として泡入浴におけるエネルギー消費量を削減することができる。
（１２）整流板が、各周壁の周方向に等間隔に突設され、台形状を呈している。このため、均一な泡を生成可能であり、台形形状はＮＣ加工によって切削してつくることが可能である。
（１３）徽細泡沫群生成装置が、第１インペラーと同軸上に、複数の円筒状の可動側周壁を有する第２インペラーをさらに備えている。２つのインペラーを生成装置内に設ける場合、２つのインペラーは、軸方向に整列されるか、または径方向に入れ子式に配置することが考えられる。軸方向に整列させたとして、２つのインペラーの軸がぶれている場合、インペラーのふれ角が大きくなり、その結果、ケーシングと接触し、インペラーの回転に影響を与え、所望の性能が出せない可能性がある。径方向に配置させたとして、インペラーを回転させた場合、内径と外径の周速度の差が大きくなり、内径では周速度が遅くなり泡生成に寄与しなくなるという不具合が生じる。この点、２つのインペラーを同軸上に配置すると、かかる問題点が解決される。
（１４）第１インペラー８２の第１可動側周壁８２ｄ，８２ｅと第２インペラー８４の第２可動側周壁８４ｂ，８４ｃが同径である。このため、微細泡沫群生成装置をコンパクトにすることが可能であると共に、製造が容易である。
（１５）第１インベラーの第１可動側周壁８２ｄ，８２ｅと第２インペラー８４の前記第２可動側周壁８４ｂ，８４ｃとの間に内側フランジ７５ｃが形成され、前記内側フランジの両側に前記固定側周壁７５ｅ，７５ｆ，７５ｇ，７５ｈが延びている。この構成によれば、１つのフランジの軸方向に固定側周壁が延びているため、微細泡沫群生成装置をコンパクトにすることが可能である。
（１６）互いに隣接する第１可動側周壁８２ｄと第１固定側周壁７５ｅとの間の径方向における距離が、それら周壁８２ｄ，７５ｅの長さ方向に沿って一定であり、第１可動側周壁８２ｅと第１固定側周壁７５ｆとの間の径方向における距離もそれら周壁８２ｄ，７５ｅの長さ方向に沿って一定である。これにより、流路面積が一定となり、流体の流れ抵抗の均一化が可能であり、管損失抵抗が抑えられる。
【００７６】
（第２の実施形態）
以下、本発明を具体化した第２の実施形態を図面に従って説明する。なお、第２の実施形態は、ＭＢＦ生成装置の混合室の下流側にプレート部材を配置して混合室から導出される気泡（泡Ｗ）を、周方向の流れを遮断して吐出口３４ｃへと排出するようにしたことが前記第１の実施形態と異なる構成であるため、同様の部分についてはその詳細な説明は省略する。
【００７７】
図６は、本実施形態のＭＢＦ生成装置９０を示す縦断面図であり、図７は、図６の７−７断面図である。
図６に示されるように、ＭＢＦ生成装置９０は、前記制御装置６６により回転制御される電動モータ９１を備えるとともに、水平方向に軸線の延びる該電動モータ９１の回転軸（図示略）に一体回転するように連結された回転軸９２を備え、更に電動モータ９１のケース９１ａに固定されたケーシングとしての第１ケーシング９３を備える。この第１ケーシング９３は、回転軸９２等の回転と干渉しないように内周側に内部空間Ｓ１１を形成する内側フランジとしての円環状の蓋体９３ａを有するとともに、該蓋体９３ａの下部から中心線Ｏの径方向に沿って上方に穿設されて内部空間Ｓ１１に連通する円形の給水口９３ｂを有し、更に蓋体９３ａの上部から中心線Ｏの径方向に沿って下方に穿設されて内部空間Ｓ１１に連通する円形の給気口９３ｃを有する。給水口９３ｂは、下端側で前記吸入口３４ａ（図１参照）に連通して石鹸水が供給可能であり、給気口９３ｃは、上端側で前記吸入口３４ｂ（図１参照）に連通して圧縮空気が供給可能である。従って、給水口９３ｂを通じて供給された石鹸水と、給気口９３ｃを通じて供給された圧縮空気とが内部空間Ｓ１１において初期混合される。
【００７８】
また、第１ケーシング９３は、蓋体９３ａの外周端から軸方向一側に円筒状に突出する筒部としての第１筒部９３ｄを有するとともに、蓋体９３ａから軸方向一側に第１筒部９３ｄに対して同心円上に突出する複数（例えば、２つ）の円筒状の固定側周壁９３ｅ，９３ｆを有する。そして、固定側周壁９３ｆは、前記内部空間Ｓ１１に連通する内部空間Ｓ１２を形成する。なお、第１筒部９３ｄの開口端は、拡開されて円環状の取付壁９３ｇを形成する。
【００７９】
第１ケーシング９３は、第１筒部９３ｄの内周面、固定側周壁９３ｅの外周面及び内周面、並びに固定側周壁９３ｆの外周面に放射状に突出する複数の整流板９４を備える。整流板９４は略台形状を呈している。各整流板９４は、中心線Ｏと平行に第１筒部９３ｄ、固定側周壁９３ｅ，９３ｆの全長に亘って延在する。図７に示されるように、これら整流板９４は、第１筒部９３ｄ、固定側周壁９３ｅ，９３ｆの各々に等角度間隔で配設されている。また、図６に示されるように、蓋体９３ａは、第１筒部９３ｄ及び固定側周壁９３ｅ間、両固定側周壁９３ｅ，９３ｆ間に略環状の径方向平坦面９５をそれぞれ形成する。
【００８０】
第１ケーシング９３の軸線方向一側に配置される第２ケーシング９６は、当該方向に拡開される段付き円筒状の第２筒部９６ａを有する。この第２筒部９６ａは、その軸線方向他側の先端部が取付壁９３ｇの内周面に液密的に装着されて、該取付壁９３ｇに固定されている。また、第２ケーシング９６は、第２筒部９６ａの軸線方向一側に設けられた円環状の蓋壁９６ｂを有する。なお、蓋壁９６ｂの内周側の先端部は、軸線方向一側にボス状に突出するように曲成されて、前記吐出口３４ｃを形成する。第２筒部９６ａは、内部空間Ｓ１２及び吐出口３４ｃに連通する内部空間Ｓ１３を形成する。
【００８１】
第１ケーシング９３内に配置された前記回転軸９２の先端部には、インペラー１００が一体回転するように連結されている。インペラー１００は、回転軸９２の軸線方向一側の先端部が嵌合する有底筒状の取付部１００ａと、該取付部１００ａの開口端から径方向外側に延出するリング状のフランジ部１００ｂと、該フランジ部１００ｂの外周端に接続されて前記取付部１００ａに対して同心円上に配置された円筒状の支持壁１００ｃとを有する。支持壁１００ｃは、その軸線方向一側端が当該方向において取付壁９３ｇの近傍まで延出しており、径方向外側に延出するリング状の円板部１００ｄに連続する。円板部１００ｄは、前記固定側周壁９３ｅ，９３ｆの軸線方向一側端に対向する。
【００８２】
インペラー１００は、円板部１００ｄから軸線方向他側に支持壁１００ｃ（第１筒部９３ｄ）に対して同心円上に突出する複数（例えば、２つ）の可動側周壁１００ｅ，１００ｆを有する。可動側周壁１００ｅは、第１筒部９３ｄ及び固定側周壁９３ｅ間に配置されており、可動側周壁１００ｆは、可動側周壁１００ｅ，１００ｆ間に配置されている。つまり、第１ケーシング９３及びインペラー１００は、いわゆるラビリンス状に配置されている。なお、インペラー１００は、中心線Ｏ周りに、取付部１００ａ、フランジ部１００ｂ及び支持壁１００ｃで区画される断面略Ｗ字状の空間Ｓ１４を形成する。また、第１ケーシング９３（蓋体９３ａ、第１筒部９３ｄ、固定側周壁９３ｅ，９３ｆ）及びインペラー１００（円板部１００ｄ、可動側周壁１００ｅ，１００ｆ）の間には、内部空間Ｓ１２に連通するとともに中心線Ｏの一側方向及び他側方向に折り返しつつ該中心線Ｏの径方向外側に変位してインペラー１００の外周側で第１筒部９３ｄの開口端部に連通する混合室Ｃ１１が形成されている。
【００８３】
第１ケーシング９３の開口端部には、取付壁９３ｇの段差及び第２筒部９６ａの軸線方向他側端面に挟持される態様で、爪歯車状に成形されたプレート部材１０１が配置されている。プレート部材１０１は、中心線Ｏ周りに、前記空間Ｓ１４に合わせて凹凸する断面略Ｗ字状の蓋部１０１ａを有するとともに、該蓋部１０１ａの外周側の軸線方向一側端に連続して径方向外側に延出するリング状のフランジ部１０１ｂを有する。フランジ部１０１ｂは、前記円板部１００ｄの外径よりも小さい外径を有して該円板部１００ｄから軸線方向一側に離隔配置されている。また、図８に示すように、プレート部材１０１は、フランジ部１０１ｂから径方向外側に等角度間隔で延出する複数（６つ）の円弧状の取付片１０１ｃを有するとともに、これら取付片１０１ｃの外周寄りの周方向中央部で軸線方向にそれぞれ突設された複数（６つ）の突起１０１ｄを有する。取付片１０１ｃの外径は、取付壁９３ｇの内径と実質的に同一に設定されている。プレート部材１０１は、各取付片１０１ｃの外周縁部において、取付壁９３ｇの段差及び第２筒部９６ａの軸線方向他側端面に挟持される際、各突起１０１ｄが圧潰されることで堅固に保持される。
【００８４】
そして、取付壁９３ｇに取着されたプレート部材１０１は、各隣り合う取付片１０１ｃ間に、対応する複数（この場合６つ）の円弧状の排出流路１０２を形成する。図６に示すように、各排出流路１０２は、インペラー１００の外周側で前記混合室Ｃ１１に連通するとともに、内部空間Ｓ１３および吐出口３４ｃに連通する。
【００８５】
このような構成にあって、インペラー１００が回転すると、内部空間Ｓ１１において初期混合された気液が内部空間Ｓ１２を経て混合室Ｃ１１に導入される。そして、混合室Ｃ１１内に導入された気液は、インペラー１００の回転に伴う周方向の流れが、前記複数の整流板９４にせん断される態様で混合される。この際、蓋体９３ａは、整流板等の凹凸のない平坦面９５を形成することで、気液混合時の整流板９４の影響により生じた流れ方向に対する気液分布の偏りが緩和される。そして、混合室Ｃ１１で混合された気液が微細泡沫群からなる泡Ｗとして各排出流路１０２を通じて内部空間Ｓ１３および吐出口３４ｃに排出される。このとき、各排出流路１０２から排出される泡Ｗは、隣り合う取付片１０１ｃにより周方向の流れが遮断される。これにより、各排出流路１０２から排出される泡Ｗの旋回流が抑制され、ひいては泡Ｗの気液分離が抑制される。また、空間Ｓ１４の容積は、該空間Ｓ１４内に突出するプレート部材１０１の蓋部１０１ａ分だけ低減されることで、空間Ｓ１４でインペラー１００に付着する泡量が低減される。これにより、インペラー１００の回転に要するエネルギー消費量が低減される。
【００８６】
以上詳述したように、本実施形態によれば、前記第１の実施形態における（１）（２）（６）（９）〜（１２），（１６）と同様の効果に加えて以下に示す効果が得られるようになる。
【００８７】
（１）本実施形態では、インペラー１００の外周側で混合室Ｃ１１から導出される泡Ｗは、プレート部材１０１（取付片１０１ｃ）によりその周方向の流れが遮断されることで、吐出口３４ｃへの排出時の旋回流を抑制することができる。従って、旋回流に起因する泡Ｗの気液分離を抑制することができ、その泡質を好適に維持することができる。また、旋回流に起因する管損失抵抗を低減することができ、その分、圧縮空気の吸気圧及び石鹸水の給水圧を低減することができる。これにより、例えば混合室Ｃ１１内に圧縮空気を導入するコンプレッサ３７の負荷を軽減することができ、ひいては該コンプレッサ３７の低スペック化・低コスト化が可能となる。さらに、プレート部材１０１を配置し得る小さいスペースで旋回流を抑制できるため、その分、インペラー１００を回転駆動する電動モータ９１の負荷を軽減することができ、ひいては該電動モータ９１の低スペック化および低コスト化が可能となる。
【００８８】
（２）本実施形態では、空間Ｓ１４の容積をプレート部材１０１（蓋部１０１ａ）によって低減してインペラー１００に付着する泡量を低減したことで、インペラー１００の回転に要するエネルギー消費量を低減することができる。これにより、インペラー１００を回転駆動する電動モータ９１の低スペック化および低コスト化が可能となる。
【００８９】
（３）本実施形態では、１段の混合室Ｃ１１のみで、気液混合（及び平坦面９５における気液分散）を行う。これにより、流入流体を円筒９３ｆ内側にて全周に分散させた後、インペラー１００の中心側である表面移動速度の小さい領域を通過後にインペラー１００の外周側である表面移動速度の大きい領域を通過させ、その後は吐出させる構成を備えることが可能となる。即ち、流入流体を気液界面に与える流速差の小さい領域を通過後に流速差の大きい領域を通過させ、その後は吐出させる構成を備えることとなる。これに対し、たとえば流入流体がインペラー１００の表面移動速度の大きい領域を通過後に表面移動速度の小さい領域を通過する場合、即ち流入流体が流速差の大きい領域を通過後に流速差の小さい領域を通過する場合、流速差の小さい領域では、流速差の大きい領域に比べて泡の微細化効果を十分に得ることができない。このため、流速差の小さい領域では、主に泡の粘性抵抗を受けながらインペラー１００を回転させることとなり、エネルギーが過度に消費されてしまうことになる。よって、同構成にすることにより、気液混合に要するエネルギー効率を上げることができるので、よりコンパクトな構成で微細泡沫群（泡Ｗ）を生成することができる。また、インペラー１００を回転駆動する電動モータ９１の負荷を軽減することができ、ひいては該電動モータ９１の低スペック化および低コスト化が可能となる。
【００９０】
（４）本実施形態では、プレート部材１０１は、中心線Ｏ周りに方向性のない対称構造を有することで、その組付性を向上することができる。
なお、上記実施形態は以下のように変更してもよい。
【００９１】
・前記第１の実施形態において、溝部８３は、半円や三角形等の溝形状に成形すればよい。
・前記第１の実施形態において、液搬送部としての溝部８３に代えて、例えば羽根板を採用してもよい。
【００９２】
・前記第１の実施形態において、溝部８３は、中心線Ｏと必ずしも平行である必要はなく、該中心線Ｏに対して直線状又は螺旋状に傾斜していてもよい。
・前記第１の実施形態において、第２筒部７５ａ、第１固定側周壁７５ｅ，７５ｆ、第２固定側周壁７５ｇ，７５ｈ、第３筒部７８ａ、第３固定側周壁７８ｅ，７８ｆ、第１可動側周壁８２ｄ，８２ｅ、第２可動側周壁８４ｂ，８４ｃ、第３可動側周壁８４ｄ，８４ｅの外周面及び内周面の断面形状は、いわゆる真円である必要はなく、第１及び第２インペラー８２，８４の回転を阻害しない範囲で扁平していてもよい。
【００９３】
・前記第１の実施形態において、第１筒部７４ｆ、蓋体側周壁７４ｇ、上流側周壁８２ｂの外周面及び内周面の断面形状は、いわゆる真円である必要はなく、第１インペラー８２の回転を阻害しない範囲で扁平していてもよい。
【００９４】
・前記第２の実施形態において、第１筒部９３ｄ、固定側周壁９３ｅ，９３ｆ、可動側周壁１００ｅ，１００ｆの外周面及び内周面の断面形状は、いわゆる真円である必要はなく、インペラー１００の回転を阻害しない範囲で扁平していてもよい。
【００９５】
・前記第２の実施形態において、プレート部材は、取付壁９３ｇの内径と実質的に同一の外径を有し、周縁部に等角度間隔で形成された複数の孔（排出流路）を有する円盤状であってもよい。
【００９６】
・前記各実施形態において、整流板７６，７９，９４は、中心線Ｏと必ずしも平行である必要はなく、該中心線Ｏに対して直線状又は螺旋状に傾斜していてもよい。
・各実施形態において、第１インペラー８２の可動側周壁８２ｄ，８２ｅ、第２インペラー８４の可動側周壁８４ｂ，８４ｃ、およびインペラー１００の可動側周壁１００ｅ，１００ｆは同じ長さであるが、これを異ならせてもよい。例えば、図９に示すように、可動側周壁１００ｅ，１００ｆの長さが、中心軸Ｏから離れるにつれて長くなっており、可動側周壁１００ｅ，１００ｆの先端部を結ぶ仮想線Ｍが、中心線Ｏに対して傾斜するように可動側周壁１００ｅ，１００ｆを設けても良い。同様に、ケーシングの固定側周壁、例えば第１ケーシング９３の固定側周壁９３ｅ，９３ｆを、固定側周壁９３ｅ，９３ｆの長さが中心軸Ｏから離れるにつれて長くなっており、固定側周壁９３ｅ，９３ｆの先端部を結ぶ仮想線Ｍ’が中心線Ｏに対して傾斜するように、異なる長さとしてもよい。このような構成にすると、局所的な管損失抵抗が抑えられる。つまり、周速を速くすることかでき、泡生成の効率が良くなる。さらに、ケーシングあるいはインペラーを型でつくる場合、周壁に勾配を設けることにより金型から抜き易くなる。
【００９７】
・本発明は、泡入浴以外の用途、例えば手洗い等の洗浄のために微細泡沫群を生成するものであってもよい。
・本発明は、浴槽１０と独立した、循環ポンプ、泡流入部及び泡流出部を一体的に備えた構成であってもよい。
【図１】
0005488617.tif 000002
【図２】
0005488617.tif 000003
【図３Ａ】
0005488617.tif 000004
【図３Ｂ】
0005488617.tif 000005
【図４】
0005488617.tif 000006
【図５Ａ】
0005488617.tif 000007
【図５Ｂ】
0005488617.tif 000008
【図６】
0005488617.tif 000009
【図７】
0005488617.tif 000010
【図８】
0005488617.tif 000011
【図９】
0005488617.tif 000012